(57)【要約】【課題】  ドットラインプリンタのハンマ機構部において、ハンマ機構部の部品を可能な限り共用化し、新しい印字ハンマの配列を構成し、シリーズ展開を容易に行う。【解決手段】  ハンマバンクのコムヨークに対する印字素子の並びを基本配列とし、スプリングモジュール間に印字素子と対峙しないコムヨークの櫛がＭ（Ｍは整数）個づつ空くように隙間を設け、基本配列より少ない個数のハンマモジュールをコムヨークに配設し、なおかつ印字素子が対峙していないコムヨークの櫛について釈放用電磁コイルを削除した第２の印字素子配列を持つ。【選択図】  図１
2006159483.tif 000002
【特許請求の範囲】
【請求項１】
板バネの先端に固定されたドット印字用の印字素子を有し桁方向に概等間隔ピッチでかつ複数列（Ｎ列）に配設した構成を１モジュールとしたスプリングモジュールを複数個（ｋ個）持ち、板バネを非印字位置に吸着保持し概等間隔に（ｋ×Ｎ）個の櫛状の形状でありなおかつ吸着力を発生させるためのマグネットを有するコムヨークと、櫛状のコムヨークの各々に設けられた吸着状態を釈放するための釈放用電磁コイルからなり、コムヨークの櫛の１桁目（１櫛目）を基準に、スプリングモジュールをｋ個並べ、櫛とスプリングモジュールの印字素子が各々対峙した形で排設され、櫛の数（ｋ×Ｎ）個に対して同数の印字素子を有するハンマバンクであり、ハンマバンクを桁方向に往復運動する過程で吸着状態である印字素子を釈放用電磁コイルで釈放しリボンを介して用紙にドットマトリクスの形で印字するプリンタにおいて、前記ハンマバンクのコムヨークに対する印字素子の並びを基本配列とし、スプリングモジュール間に印字素子と対峙しないコムヨークの櫛がＭ（Ｍは整数）個づつ空くように隙間を設け、基本配列より少ない個数のハンマモジュールをコムヨークに配設し、なおかつ印字素子が対峙していないコムヨークの櫛について釈放用電磁コイルを削除した第２の印字素子配列を持つことを特徴とするドットラインプリンタ。
【発明の詳細な説明】
【技術分野】
【０００１】
本発明は、ドットラインプリンタに関し、更に詳しくはハンマバンクの印字ハンマ配列に関するものである。
【背景技術】
【０００２】
図６を用いて従来技術を説明する。ドットラインプリンタの印字方式は図示していない印字ハンマを有するハンマ機構部２を図示していないシャトル機構部により桁方向に往復移動する。この過程でインクリボン３、印字用紙５を挟み、印字力を保持するプラテン４に対して印字ハンマ１を駆動し、印字用紙５にインクリボン３のインクを転写しドットマトリクスの形で印字する印字動作と、ステッピングモーター６を駆動しトラクタ７を介して印字用紙を桁方向と垂直に送る紙送り動作とを交互に繰り返しながら、文字、図形などの印刷を行う。
【０００３】
次に、図４、図５を用いてハンマ機構部２の詳細を説明する。図４はハンマ機構部２の斜視図、図５は横断面図を示すものである。
【０００４】
ドットラインプリンタは印字ハンマが打撃する力で、インクを用紙に転写し文字図形などの印字するプリンタであり、厚さの異なるさまざまな用紙や、配送伝票などの複写用多部紙に印字できる特長を有する。
【０００５】
印字ハンマの駆動原理について図を用いて説明する。マグネット２１、ヨークベース２２およびコムヨーク２３からなるハンマベース２６と、印字ハンマ１前面に位置し磁路を確保するためのフロントヨークとで構成する閉磁気回路で板バネ１１の先端に印字ピン１２を備えた印字ハンマ１を吸引し撓みを与え、閉磁気回路の磁界を打ち消す釈放用電磁コイル２４を、適時駆動する事で撓みを与えた印字ハンマ１を釈放してドットを印字する。
【０００６】
前記印字ハンマ１を複数個桁方向に並べハンマバンクを構成する。印字ハンマを複数個並べるためにコムヨーク２３は櫛状の形状であり、その櫛の各々に釈放用電磁コイルを持つ。印字ハンマ１は桁方向に所定間隔で、なおかつ桁方向と垂直に複数列（図では１２列）並べた状態をハンマモジュールとし、それをコムヨーク２３と対峙した形で隙間無く並べハンマバンクを構成している。コムヨーク２３の櫛と印字ハンマ１は各々対峙している。
【０００７】
図３は、１２ピンの印字ハンマ１を持つハンマモジュールを１２個並べ、総数で１４４ピンの印字ハンマを持つ構成を示す。コムヨーク２３の櫛の数も印字ハンマ１と対峙した形で１４４個の櫛形状になっており、その各々に１４４個の釈放用コイルが配設されている。
【０００８】
桁方向と垂直に１２列並べた印字ハンマ配列での印字動作を説明する。ハンマモジュール２５は縦方向に１２列にならべた配列である。隣接したハンマモジュールの同一列の印字ハンマ１位置までシャトル機構部で桁方向に図示したＡの距離以上揺動する。その過程で適時印字ハンマ１を駆動する事により、左から右（または右から左）の動作（以下１スキャンという）で、隣接したハンマモジュール２５間で印字したドットラインをつなげることが出来る。結果として一度に１２列のドットラインを１２個のハンマモジュールに渡って印字することが出来る。１スキャンで複数列を印字することができ、機器の高速化を図る事が出来る。
【０００９】
上記した桁方向と垂直に１２列の配列を持つハンマバンクに対し、可能な限り部品の共用化を図り、なおかつ原価及び開発費用を安くした低速のドットラインプリンタ開発の要求がある。その要求に対し従来は、１２列の配列を６列に減らし、印字ハンマの数を７２ピンに減らすことが提案されている（例えば、特許文献１参照。）。本提案によれば、基本となるハンマ機構部の主要部品が共通にでき、これにより、新しく開発するハンマ機構部の開発期間が短縮でき、その開発費、生産設備費、部品費の低減が可能となることが述べられている。
【００１０】
【特許文献１】特開平９−８５９７０号公報
【発明の開示】
【発明が解決しようとする課題】
【００１１】
特許文献１に示す技術においては、部品の共用化、開発期間の短縮を達成することは可能であるが、低減できる構成部品を考えると１２列を６列に減らした事による７２個の印字ピンと、７２個の釈放用コイルは削減できるが、共通構成部品であるヨークベース１個、フロントヨーク１２個、板バネ１２個については員数低減することが出来ない。特に原価構成上大きな割合を占める、フロントヨーク及び板バネの員数を低減することが出来ないということは、結果として印字ハンマの個数を減らしたにもかかわらず原価が下がりきらないという課題があった。
【課題を解決するための手段】
【００１２】
前記課題は、ハンマバンクのコムヨークに対する印字素子の並びを基本配列とし、スプリングモジュール間に印字素子と対峙しないコムヨークの櫛がＭ（Ｍは整数）個づつ空くように隙間を設け、基本配列より少ない個数のハンマモジュールをコムヨークに配設し、なおかつ印字素子が対峙していないコムヨークの櫛について釈放用電磁コイルを削除した第２の印字素子配列を持つことによって解決される。
【発明の効果】
【００１３】
本発明によれば、印字ハンマを削減して新配列のハンマ機構部を実現する場合、大幅に部品点数の削減、原価を削減することが出来る。また部品の共通化が図られ開発期間の短縮、その開発費、及び生産設備費の低減が可能である。
【発明を実施するための最良の形態】
【００１４】
部品点数の削減、及び開発期間の短縮と言う目的を、ハンマモジュールを間引くことにより実現した。
【実施例１】
【００１５】
図１を用いて本発明の実施例を説明する。
【００１６】
図３に示す基本配列は縦方向１２列配列を１モジュールとし、それを１２個コムヨーク上に並べた構成である。コムヨークは１４４個の櫛部を持つ。これに対し本発明は、図１に示すように、前記コムヨークに対し、１桁目（１櫛目）を基準にハンマモジュール２５間に１２個使用しない櫛部があるように間隔を空け配設する。結果として印字ハンマを７２ピン持つ別構成のハンマバンクが出来る。本配列に置いては揺動距離を１４４ピン構成の時の距離Ａから（２×Ａ）に距離を伸ばすことにより隣接したハンマモジュール２５間で印字したドットラインをつなげることが出来る。結果として一度に１２列のドットラインを１２個のハンマモジュールに渡って印字することが出来る。また、印字ハンマと対峙していないコムヨーク２３の櫛については釈放電磁コイルを削除することが出来る。本発明においては、特許文献１における縦配列を減らす方式で７２個の印字ピン持つハンマバンクと部品点数を比較すると、７２個の印字ピンと７２個の釈放用コイルが削減出来ることは同様であるが、更に６個の板バネと、６個のフロントヨークを削減することができる。原価構成割合の大きい２部品の員数を削減できるためハンマバンクの原価を大幅に低減することが出来る。
【実施例２】
【００１７】
本発明の他の実施例を図２により説明する。本実施例では、１桁目を基準に１モジュール目を配設し、ハンマモジュール間に２４個の使用しないコムヨーク２３の櫛があるように、間隔を空け、４個のハンマモジュールを配設した例である。シャトルの揺動距離を基本配列のＡから（３×Ａ）に距離を伸ばして動かすことにより、実施例１と同様に１スキャンで１２列のドットラインを印刷することが出来る。
【図面の簡単な説明】
【００１８】
【図１】本発明のドットラインプリンタにおけるハンマ機構部の正面図である。（実施例１）
【図２】本発明のドットラインプリンタにおけるハンマ機構部の正面図である。（実施例２）
【図３】従来のドットラインプリンタにおけるハンマ機構部の正面図である。
【図４】従来のドットラインプリンタにおけるハンマ機構部の斜視図である。
【図５】従来のドットラインプリンタにおけるハンマ機構部の断面図である。
【図６】従来のドットラインプリンタにおける印字機構部の斜視図である。
【符号の説明】
【００１９】
１は印字ハンマ、２はハンマ機構部、３はインクリボン、４はプラテン、５は印字用紙、６はステッピングモーター、７はトラクタ、１１はヨークベース、１２は印字ピン、２１はマグネット、２２はヨークベース、２３はコムヨーク、２４は釈放用コイル、２５はハンマモジュール、２６はハンマベースを示す。
【図１】
2006159483.tif 000003
【図２】
2006159483.tif 000004
【図３】
2006159483.tif 000005
【図４】
2006159483.tif 000006
【図５】
2006159483.tif 000007
【図６】
2006159483.tif 000008